(57)【要約】【課題】透水性舗装のように路面に隙間が多い構造であっても、循環空気流による気流搬送によって塵埃をホッパーに回収できる空気循環式清掃車の塵埃回収装置を提供する。【解決手段】仕切り部材１９でピックアップヘッド１０のサクション室１７を車幅方向において２つのサクション室１７ａ，１７ｂに仕切り、各サクション室１７ａ，１７ｂに吸引ダクト９ａ，９ｂを対応して設けたことで、各吸引ダクト９ａ，９ｂに向けて気流搬送される塵埃の移動距離が短くなることから、透水性舗装のように路面Ｆに隙間Ｄが多い構造であっても、循環空気流による気流搬送によって塵埃が吸引ダクト９ａ，９ｂに到達する。【選択図】  図３
2004324186.tif 000002
【特許請求の範囲】
【請求項１】
車幅方向に延びるピックアップヘッド内を仕切り板で上側のプッシャー室と下側のサクション室とに仕切り、その仕切り板とピックアップヘッド内に設けた風向板との間にピックアップヘッドの全幅にわたって吹出しノズルを形成し、プッシャー室には一端がブロアに連結された圧送ダクトの他端を連通させ、サクション室には一端がホッパに開口された吸引ダクトの他端を連通させて成る空気循環式清掃車の塵埃回収装置において、ピックアップヘッドの車幅方向中間に、前記サクション室を車幅方向に複数のサクション室に仕切る仕切り部材を設け、前記複数のサクション室に対応して夫々吸引ダクトを設けたことを特徴とする空気循環式清掃車の塵埃回収装置。
【請求項２】
吸引ダクトは、ピックアップヘッドの車幅方向両端に配置されることを特徴とする請求項１記載の空気循環式清掃車の塵埃回収装置。
【請求項３】
仕切り部材は仕切り板の下面に取り付けられ、下端が路面に接触するゴム製のフラップとなっていることを特徴とする請求項１または２記載の空気循環式清掃車の塵埃回収装置。
【発明の詳細な説明】
【０００１】
【発明の属する技術分野】
本発明は、空気循環式清掃車の塵埃回収装置に関する。
【０００２】
【従来の技術】
従来、特許文献１〜３に記載のように空気循環式清掃車の塵埃回収装置は、車体下部に配置された車幅方向に長いピックアップヘッドと、車体上に搭載されたブロアとホッパーとを圧送ダクト、吸引ダクトによって連結したものである。そして、ブロアの駆動によりホッパー内の空気が圧送ダクト、ピックアップヘッド、吸引ダクト、ホッパーと循環する循環空気流となり、その循環空気流による気流搬送によって路面上の塵埃がホッパーに回収されるようになっている。
【０００３】
また、特許文献２には、上記ピックアップヘッド内に公転運動する線材が設置されている。その線材により、透水性舗装の空隙部に付着堆積した塵埃を掘り起こして遊離させ、その塵埃が循環空気流による気流搬送によってホッパーに回収されるようになっている。特許文献３には、上記ピックアップヘッド内の上室（プッシャー室）を左室と右室に仕切る仕切り状態と仕切らない状態とにする上室仕切部材が設けられ、前記左室側に圧送ダクトと吸引ダクトとが配設されている。このことから、上室仕切部材により上室を仕切り状態とすると、路肩側の塵埃のみが循環空気流による気流搬送によってホッパーに回収されるようになっている。また、上室仕切部材により上室を仕切らない状態とすることで、路面の全幅にある塵埃が循環空気流による気流搬送によってホッパーに回収されるようになっている。
【０００４】
【特許文献１】
特公平７−６１７２号公報
【特許文献２】
特開平６−８１３２５号公報
【特許文献３】
特開２００１−１４９８７６号公報
【０００５】
【発明が解決しようとする課題】
上記した各ピックアップヘッドにはゴム製の前フラップ、後フラップ及びダートシューが取り付けてあることで、循環空気流がピックアップヘッド内から外部に洩れないようにしてある。ところが、特許文献２に記載される透水性舗装のように路面に隙間が多い構造となると、循環空気流が路面の隙間からピックアップヘッドの外部に洩れてしまい、循環空気流による気流搬送の能率が低下する。このことから、透水性舗装の路面上及び空隙部の塵埃を効率良くホッパーに回収できなかった。特に、特許文献１，２のように、ピックアップヘッドの車幅方向両端に圧送ダクトと吸引ダクトとが連結された構造であると、両ダクト間の距離が長く、圧送ダクト側にある塵埃を吸引ダクトに到達させるまでに空気洩れが多くなって気流搬送がうまく行われず、路面上に塵埃を残すおそれがあった。
【０００６】
また、特許文献３のように、左室（路肩寄り）側に圧送ダクトと吸引ダクトとが配設された構造であると、上室仕切部材により上室を仕切らない状態の場合には、特許文献１，２と同様に循環空気流による気流搬送の能率の低下により、吸引ダクトから離れた塵埃（中央分離帯側の塵埃）を吸引ダクトに到達させることができず、路面上に塵埃を残すおそれがあった。そこで、本発明の課題は、透水性舗装のように路面に隙間が多い構造であっても、循環空気流による気流搬送によって塵埃をホッパーに回収できる空気循環式清掃車の塵埃回収装置を提供することにある。
【０００７】
【課題を解決するための手段】
上記課題解決のため、本願では、車幅方向に延びるピックアップヘッド内を仕切り板で上側のプッシャー室と下側のサクション室とに仕切り、その仕切り板とピックアップヘッド内に設けた風向板との間にピックアップヘッドの全幅にわたって吹出しノズルを形成し、プッシャー室には一端がブロアに連結された圧送ダクトの他端を連通させ、サクション室には一端がホッパに開口された吸引ダクトの他端を連通させて成る空気循環式清掃車の塵埃回収装置において、ピックアップヘッドの車幅方向中間に、前記サクション室を車幅方向に複数のサクション室に仕切る仕切り部材を設け、前記複数のサクション室に対応して夫々吸引ダクトを設けたことを特徴とする。
【０００８】
具体的には仕切り部材が１つの場合ではサクション室は２つに区画され、吸引ダクトはこれらの各サクション室に対応してピックアップヘッドの車幅方向両端に配置される。また、仕切り部材は仕切り板の下面に取り付けられ、下端が路面に接触するゴム製のフラップになっている。
【０００９】
【発明の実施の形態】
実施の形態について図面を参照して説明する。図１〜２において、空気循環式清掃車１の前後輪２，３間には、路面Ｆ上の塵埃を車幅中央方向に掃き寄せるガッタブルーム４と、そのガッタブルーム４により掃き寄せられた塵埃を路面Ｆ上から回収する塵埃回収装置５が設置されている。塵埃回収装置５は、車体１ａ下部に配置されたピックアップヘッド１０と、車体１ａ上に搭載されたブロア６とホッパー７とを圧送ダクト８、吸引ダクト９ａ，９ｂによって連結したものである。ピックアップヘッド１０は、図示しない昇降装置によって路面接地位置Ａと路面離間位置Ｂとに昇降可能となっている。ピックアップヘッド１０について説明する。ピックアップヘッド１０は、図２〜３に示すように、左右側板１１，１２間に長手方向が車幅と略一致している上板１３が溶着され、その上板１３の下方位置と後方位置に仕切り板１４と風向板１５とが左右側板１１，１２間にわたって夫々取り付けられている。前記仕切り板１４によってピックアップヘッド１０の車幅方向の全幅にわたって上側のプッシャー室１６と下側のサクション室１７とに仕切られている。仕切り板１４の後端部と風向板１５との間には、ピックアップヘッド１０の全幅にわたって吹出しノズル１８が形成されている。また、仕切り板１４下面の車幅方向中間位置には、サクション室１７をその長手方向（車幅方向）に左右２つのサクション室１７ａ，１７ｂに仕切る仕切り部材１９がボルト２０により取り付けられている。仕切り部材１９は、図４に示すブラケット１９ａとその下端に取り付けられるゴム製のフラップ１９ｂとから成る。ゴム製フラップ１９ｂの下端はピックアップヘッド１０が接地したときに路面Ｆに接触する。
【００１０】
上記ピックアップヘッド１０の車幅方向両端には、夫々一端がホッパー７に開口された吸引ダクト９ａ，９ｂの各他端が上板１３を貫通し、仕切り板１４で仕切られたサクション室１７ａ，１７ｂに夫々連通するように配置されている。ホッパー７はブロア６の空気吸引側に連通され、ホッパー７を介して吸引ダクト９ａ，９ｂに吸引気流が作用するようになっている。吸引ダクト９ａ，９ｂの間には、一端がブロア６の空気吹出口に連結した圧送ダクト８の他端がプッシャー室１６に連通するように配置されている。ピックアップヘッド１０の左右側板１１，１２にはダートシュー２１、仕切り板１４にはゴム製の前フラップ２２、風向板１５にはゴム製の後フラップ２３が夫々取り付けられている。このことから、路面接地位置Ａにあるピックアップヘッド１０の内側空間は略密閉状態となる。ブロア６の駆動によりブロア６の空気吹出口から送り出された空気流は、圧送ダクト８、プッシャー室１６、吹出しノズル１８を経て各サクション室１７ａ，１７ｂに流れ、路面Ｆ上に作用して塵埃を掃き上げて各吸引ダクト９ａ，９ｂからホッパー７へと吸引されて塵埃をホッパー７に回収して再びブロア６に吸い込まれて循環するようになっている。尚、本実施形態では、仕切り部材１９をピックアップヘッド１０の車幅方向中間位置に設けたが、吸引ダクト９ａ，９ｂの間であればどの位置であっても良い。
【００１１】
上記のように、仕切り板１４に設けた仕切り部材１９でピックアップヘッド１０のサクション室１７を車幅方向で２つのサクション室１７ａ，１７ｂに仕切り、各サクション室１７ａ，１７ｂに対応して吸引ダクト９ａ，９ｂをピックアップヘッド１０に設けたことで、吹出しノズル１８から路面Ｆに向けて噴出される循環空気流は各サクション室１７ａ，１７ｂに振り分けられ、各サクション室１７ａ，１７ｂ内において路面Ｆ上及び空隙Ｄの塵埃を対応する吸引ダクト９ａ，９ｂに向けて気流搬送させることになる。よって、塵埃が車幅方向に比較的短い移動で吸引ダクト９ａ，９ｂに到達するために、透水性舗装のような路面Ｆの隙間Ｄから循環空気流がピックアップヘッド１０の外部に洩れるような場合であっても、その洩れは小さくなり効率良く塵埃をホッパー７に回収することができる。また、ピックアップヘッド１０の車幅方向両端に各吸引ダクト９ａ，９ｂを配置したことで、中央分離帯側の塵埃や路肩側の塵埃が各吸引ダクト９ａ，９ｂに近づくことになり、透水性舗装のような路面Ｆの中央分離帯側の塵埃や路肩側の塵埃を確実にホッパー７に回収することができる。
【００１２】
【発明の効果】
以上のように本願では、仕切り部材でピックアップヘッドのサクション室を車幅方向に複数のサクション室に仕切り、各サクション室に対応した吸引ダクトを設けたことで、各サクション室内において気流搬送される塵埃の移動距離が短くなることから、路面が透水性舗装のような隙間の多い構造であっても、循環空気流による気流搬送によって塵埃を確実に吸引ダクトに到達させることができる。
【図面の簡単な説明】
【図１】本発明の塵埃回収装置を備えた空気循環式清掃車である。
【図２】図１のＩＩ−ＩＩ線断面図である。
【図３】図２のＩＩＩ−ＩＩＩ線拡大断面図である。
【図４】仕切り部材のブラケットを示す斜視図である。
【符号の説明】
１    空気循環式清掃車
５    塵埃回収装置
６    ブロア
７    ホッパー
８    圧送ダクト
９    吸引ダクト
１０    ピックアップヘッド
１４    仕切り板
１５    風向板
１６    プッシャー室
１７    サクション室
１８    吹出しノズル
１９    仕切り部材
１９ｂ  フラップ
Ｆ      路面
【図１】
2004324186.tif 000003
【図２】
2004324186.tif 000004
【図３】
2004324186.tif 000005
【図４】
2004324186.tif 000006